(57)【要約】【課題】  バックライトパネルと光学シートを収納するフレームに両面接着テープにより液晶表示パネルを接着固定する際、両面接着テープが光学シートの歪みをもたらすことのないようにする。【解決手段】  液晶表示装置１は、フレーム１０の中にバックライトパネル１１と光学シート１２を収納したうえで、両面接着テープ１６により液晶表示パネル１５をフレーム１０に接着固定する。両面接着テープ１６の一部は光学シート１２に向き合うが、両面接着テープ１６のこの部分は接着剤不存在領域１７となっていて、光学シート１２は接着固定されない。また、光学シート１２の動きを妨げないため、接着剤不存在領域１７と光学シート１２の間には隙間１８が設けられている。【選択図】        図１
2006184656.tif 000002
【特許請求の範囲】
【請求項１】
バックライトパネルと光学シートを、後者を前者の上に重ねる形で収納するフレームに、
両面接着テープにより液晶表示パネルを接着固定する構造の液晶表示装置において、前記
両面接着テープは、前記光学シートに向き合う箇所には接着剤を有しないことを特徴とす
る液晶表示装置。
【請求項２】
前記両面接着テープと光学シートの間に隙間が設けられていることを特徴とする請求項１
に記載の液晶表示装置。
【請求項３】
前記フレームには内フランジが設けられ、該内フランジ上に位置する前記液晶表示パネル
は前記両面接着テープで固定され、前記内フランジには複数の光学シートを載置する凹部
が設けられていることを特徴とする請求項１から２のいずれかに記載の液晶表示装置。
【発明の詳細な説明】
【技術分野】
【０００１】
本発明は液晶表示装置に関する。より詳しく言えば、面発光パネルと液晶表示パネルの
間に配置される光学シートの保持構造に関する。
【背景技術】
【０００２】
近年、電子機器をはじめとする各種機械器具類において、使用者に情報を伝達する表示
装置を備えたものが多くなっている。表示装置として一般的なのは液晶表示装置である。
液晶表示装置は、液晶表示パネルにバックライトを組み合わせる構成とすることが多い。
そのような液晶標示装置の構造例を特許文献１に見ることができる。
【０００３】
特許文献１に記載された液晶表示装置では、バックライトとなる面発光装置の上に光学
シートと液晶表示パネルを置き、ベゼルと面発光装置により液晶表示パネルを挟持した状
態で、ベゼルと面発光装置をクリップで挟み付け、組立状態としている。
【０００４】
図３、４に、特許文献１に記載された構造とは異なる従来構造を示す。図３は平面図、
図４は図３の線Ａ−Ａで切断した部分拡大断面図である。
【０００５】
液晶表示装置１は合成樹脂製のフレーム１０をベースとして組み立てられている。フレ
ーム１０は平面形状矩形であり、その内面には内フランジ１０ａが形成されている。内フ
ランジ１０ａの中には導光板１１と光学シート１２が収納される。導光板１１は端面から
入射した光を最も広い面から出射するものである。導光板１１の下には反射シート１３が
配置される。
【０００６】
光学シート１２は互いに機能の異なる３枚のシートを重ねたものである。３枚のシート
とは、下から順に、拡散シート１２ａ、レンズフィルム１２ｂ、及びレンズフィルム１２
ｃである。これら３枚のシートは単に重ねられているだけであり、相互に結合されてはい
ない。また拡散シート１２ａと導光板１１も固定関係にはない。
【０００７】
内フランジ１０ａの上縁には液晶表示パネル１５が接着固定される。液晶表示パネル１
５の接着には両面接着テープ１６が用いられる。両面接着テープ１６は液晶表示パネル１
５の周縁に沿って配置され、液晶表示パネル１５の全周を内フランジ１０ａに接着する。
なお、液晶表示パネル１５の表示面の額縁上の輝線対策のため、両面接着テープ１６は遮
光性になっている。
【０００８】
２０は液晶表示パネル１５に接続されたＦＰＣ基板である。ＦＰＣ基板２０には液晶駆
動用ＩＣの他、各種電子部品が搭載されている。
【特許文献１】特開２００３−２７９９３５号公報（第２頁−第３頁、図１−図５）
【発明の開示】
【発明が解決しようとする課題】
【０００９】
図３、４に示す構造、すなわち液晶表示パネル１５を両面接着テープ１６で固定するや
り方は、金属製のクリップを用いるやり方に比べコスト安であり、一般的に広く使用され
ている。しかしながらこの方法には次のような問題がある。
【００１０】
それは、両面接着テープ１６は遮光の目的も兼ねているため、両面接着テープ１６の中
に光学シート１２の周縁と重なる部分があり、光学シート１２（その中でもレンズフィル
ム１２ｃ）が両面接着テープ１６を介してフレーム１０に固定されてしまう、ということ
である。信頼性試験で高温・高湿室に入れられたり、あるいは実際の使用環境で高温・高
湿に遭遇したりしたとき、光学シート１２は膨脹したり収縮したりする。この寸法変化は
、もしも光学シート１２の周縁が固定されていたりすると、高温・高湿環境から抜け出し
た後も持ち越され、光学シート１２に歪みが生じる。このように歪んだ箇所を通過した光
で照明されると、液晶表示パネル１５の中の画像がシャープさを欠くものになってしまう
。
【００１１】
本発明は上記の点に鑑みなされたものであり、バックライトパネルと光学シートを収納
するフレームに、両面接着テープにより液晶表示パネルを接着固定する液晶表示装置にお
いて、両面接着テープが光学シートの歪みをもたらすことのないようにすることを目的と
する。
【課題を解決するための手段】
【００１２】
上記目的を達成するために本発明は、バックライトパネルと光学シートを、後者を前者
の上に重ねる形で収納するフレームに、両面接着テープにより液晶表示パネルを接着固定
する構造の液晶表示装置において、前記両面接着テープは、前記光学シートに向き合う箇
所には接着剤を有しないことを特徴としている。
【００１３】
この構成によると、両面接着テープにより光学シートの周縁が固定されるという現象は
生じず、高温や高湿に遭遇して光学シートが膨脹あるいは収縮したとしても、その寸法変
化が歪みとして残らない。従って、光学シートの歪みにより液晶表示パネルの中の画像に
不鮮明な箇所が生じるようなことがなく、良好な画質を得ることができる。
【００１４】
また本発明は、上記構成の液晶表示装置において、前記両面接着テープと光学シートの
間に隙間が設けられていることを特徴としている。
【００１５】
この構成によると、膨脹・収縮の局面において光学シートが公差内で移動可能になり、
歪みが生じない。
【００１６】
また本発明は、上記構成の液晶表示装置において、前記フレームには内フランジが設け
られ、該内フランジ上に位置する前記液晶表示パネルは前記両面接着テープで固定され、
前記内フランジには複数の光学シートを載置する凹部が設けられていることを特徴として
いる。
【００１７】
この構成によると、前記液晶表示パネルは前記両面接着テープで前記フレーム内フラン
ジ上に固定されるものの、前記フレームの内フランジ凹部には複数の光学シートが公差内
で載置され、前記光学シートの周縁上部に位置する前記両面接着テープには接着剤付存在
領域があるため、膨脹・収縮の局面において、光学シートに歪みが生じない
【発明の効果】
【００１８】
本発明によると、液晶表示パネルをフレームに接着固定する両面シートが、光学シート
に向き合う箇所には接着剤を有しないこととすることにより、両面接着テープにより光学
シートの周縁が固定されるという現象が防がれる。これにより、高温や高湿で光学シート
に寸法変化が生じたとしても、それが歪みとして残らなくなり、液晶表示パネルの画質を
良好な状態で維持できる。
【発明を実施するための最良の形態】
【００１９】
以下、本発明の一実施形態を図１及び図２に基づき説明する。図１は図４と同様の部分
拡大断面図、図２は液晶表示装置の平面図である。なお本発明に係る液晶表示装置の構造
は大部分が図３、４の従来構造と共通である。そこで、従来構造と共通する構成要素には
従来構造の説明で用いた符号をそのまま付し、説明は省略する。
【００２０】
実施形態に係る液晶表示装置１は、フレーム１０の内フランジ１０ａに両面接着テープ
１６で液晶表示パネル１５を接着固定する点は従来構造と同じである。但し両面接着テー
プ１６の構造が従来構造と異なる。すなわち両面接着テープ１６は、上面、すなわち液晶
表示パネル１５と向き合う面には全面的に接着剤を有し、下面の中でもフレーム１０に向
き合う箇所には接着剤を有するが、光学シート１２と向き合う箇所は、接着剤のない接着
剤不存在領域１７となっている。このため光学シート１２の周縁が両面接着テープ１６に
よって接着固定されることはない。さらに、接着剤不存在領域と光学シート１２との間に
は微小な隙間１８が設けられ、光学シート１２の動きが妨げられないようになっている。
【００２１】
図２には接着剤不存在領域１７が斜線で示されている。接着剤不存在領域１７の中に外
側に膨らんだ箇所があるのは光学シート１２の形状を反映したものである。すなわち光学
シート１２の両側面には耳部（図示せず）が設けられ、フレーム１０にはこの耳部を受け
入れる凹部（図示せず）が設けられる。これは光学シート１２の位置決めのためである。
耳部の存在に対応して接着剤不存在領域１７も外側に膨らんでいる。
【００２２】
このように、光学シート１２の周縁が両面接着テープ１６によって固定されてはいない
ので、高温や高湿に遭遇して光学シート１２が膨脹あるいは収縮したとしても、その寸法
変化が歪みとして残らない。従って、光学シート１２の歪みにより液晶表示パネル１５の
中の画像に不鮮明な箇所が生じるようなことがなく、良好な画質を得ることができる。ま
た両面接着テープ１６と光学シート１２の間は隙間１８が存在するから、膨脹・収縮の局
面において光学シート１２が公差内で移動可能になり、歪みが生じない。
【００２３】
以上、本発明の一実施形態につき説明したが、本発明の範囲はこれに限定されるもので
はなく、発明の主旨を逸脱しない範囲で種々の変更を加えて実施することができる。
【図面の簡単な説明】
【００２４】
【図１】本発明の一実施形態に係る液晶表示装置の部分拡大断面図
【図２】上記液晶表示装置の平面図
【図３】従来の液晶表示装置の平面図
【図４】図３の線Ａ−Ａに沿って切断した部分拡大断面図
【符号の説明】
【００２５】
１      液晶表示装置
１０    フレーム
１０ａ  内フランジ
１１    バックライトパネル
１２    光学シート
１５    液晶表示パネル
１６    両面接着テープ
１７    接着剤不存在領域
１８    隙間
【図１】
2006184656.tif 000003
【図２】
2006184656.tif 000004
【図３】
2006184656.tif 000005
【図４】
2006184656.tif 000006